(57)【要約】【課題】光スイッチのみならず、波長選択スイッチの数をも削減し、低コスト化が可能な光クロスコネクト装置及びユーザインタフェースを収容したシステム及び冗長系を有するユーザインタフェースを収容したシステムを提供する。【解決手段】本発明は、入力された波長多重信号光から特定の波長光を選択する、並列に配置された複数の波長選択スイッチと、波長選択スイッチのそれぞれの前段に配置され、第１のポートから入力された光を非相反部を通過して第２のポートに出力し、該第２のポートから入力された光を該非相反部を通過して第３のポートに出力する複数の光サーキュレータと、波長選択スイッチの１つの方路に接続され、入射された全光を反射させる全反射ミラーと、波長選択スイッチに対して、波長を選択するための波長編集信号を出力する制御手段と、を有する光クロスコネクト装置とする。【選択図】図１
2008259133.tif 000002
【特許請求の範囲】
【請求項１】
波長多重伝送に使用される波長多重信号光から特定の波長の信号を選択して取り出す波長選択スイッチを用いた光クロスコネクト装置であって、
それぞれに入力された波長多重信号光から特定の波長光を選択する、並列に配置された複数の波長選択スイッチと、
前記波長選択スイッチのそれぞれの前段に配置され、第１のポートから入力された光を非相反部を通過して第２のポートに出力し、該第２のポートから入力された光を該非相反部を通過して第３のポートに出力する複数の光サーキュレータと、
前記波長選択スイッチの１つの方路に接続され、入射された全光を反射させる全反射ミラーと、
前記波長選択スイッチに対して、波長を選択するための波長編集信号及び波長の方路を切り替えるための方路切替信号を出力する制御手段と、
を有し、
前記光サーキュレータは、
前記第１のポートから入力された波長多重信号光が入力されると、第２のポートより波長選択スイッチに出力し、
前記波長選択スイッチは、
前記光サーキュレータを介して波長多重信号光が入力されると、前記波長編集信号に基づいて波長光を選択して、前記方路切替信号に基づいて１つの方路に接続された前記全反射ミラーに選択された波長光を出力すると共に、残りの波長光を他の波長選択スイッチに出力し、
前記全反射ミラー及び前記他の波長選択スイッチから波長光が入力されると、前記波長編集信号及び前記方路切替信号に基づいて、波長光を選択して前記光サーキュレータに出力し、
前記光サーキュレータは、
前記波長選択スイッチから出力された前記波長光が前記第２のポートより入力されると、該波長光を前記第３のポートより出力する、
ことを特徴とする光クロスコネクト装置。
【請求項２】
波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムであって、
前記光クロスコネクト装置は、
請求項１記載の光クロスコネクト装置であり、
前記ＵＮＩは、
入力された波長多重信号光から特定の波長光を選択する波長選択スイッチと、
前記波長選択スイッチのそれぞれの前段に配置され、第１のポートから入力された光を非相反部を通過して第２のポートに出力し、該第２のポートから入力された光を該非相反部を通過して第３のポートに出力する複数の光サーキュレータと、
を有し、
前記ＵＮＩの前記光サーキュレータは、
前記第１のポートから入力された波長多重信号光が入力されると、第２のポートより波長選択スイッチに出力し、
前記ＵＮＩの前記波長選択スイッチは、
前記光サーキュレータを介して波長多重信号光が入力されると、前記光クロスコネクト装置からの波長編集信号に基づいて波長光を選択し、波長光を前記光クロスコネクト装置の波長選択スイッチに出力し、
前記光クロスコネクト装置の波長選択スイッチから波長光が入力されると、前記波長編集信号及び前記方路切替信号に基づいて、波長光を選択して前記光サーキュレータに出力し、
前記ＵＮＩの光サーキュレータは、
前記ＵＮＩの前記波長選択スイッチから出力された波長光が前記第２のポートより入力されると、該波長光を前記第３のポートより出力する、
ことを特徴とする光クロスコネクトシステム。
【請求項３】
波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムであって、
前記光クロスコネクト装置は、請求項１記載の光クロスコネクト装置であり、
前記ＵＮＩは、
入力された波長多重信号光から特定の波長光を選択する波長選択スイッチと、
前記波長選択スイッチのそれぞれの前段に配置され、第１のポートから入力された光を非相反部を通過して第２のポートに出力し、該第２のポートから入力された光を該非相反部を通過して第３のポートに出力する光サーキュレータと、
を現用系及び予備系にそれぞれ有し、
前記ＵＮＩの前記現用系及び前記予備系の前記光サーキュレータは、
前記第１のポートから入力された波長多重信号光が入力されると、第２のポートより波長選択スイッチに出力し、
前記ＵＮＩの前記現用系及び前記予備系の前記波長選択スイッチは、
前記第１の光サーキュレータを介して波長多重信号光が入力されると、前記光クロスコネクト装置からの波長編集信号に基づいて波長光を選択して、波長光を前記光クロスコネクト装置の波長選択スイッチに出力し、
前記光クロスコネクト装置の波長選択スイッチから波長光が入力されると、前記波長編集信号及び前記方路切替信号に基づいて、波長光を選択して前記光サーキュレータに出力し、
前記ＵＮＩの前記現用系及び前記予備系の光サーキュレータは、
前記ＵＮＩの前記波長選択スイッチから出力された波長光が前記第２のポートより入力されると、該波長光を前記第３のポートより出力する、
ことを特徴とする光クロスコネクトシステム。
【請求項４】
波長多重伝送に使用される波長多重信号光から特定の波長の信号を選択して取り出す波長選択スイッチを用いた光クロスコネクト装置における信号制御方法であって、
それぞれに入力された波長多重信号光から特定の波長光を選択する、並列に配置された複数の波長選択スイッチと、
前記波長選択スイッチのそれぞれの前段に配置され、第１のポートから入力された光を非相反部を通過して第２のポートに出力し、該第２のポートから入力された光を該非相反部を通過して第３のポートに出力する複数の光サーキュレータと、
前記波長選択スイッチの１つの方路に接続され、入射された全光を反射させる全反射ミラーと、
前記波長選択スイッチに対して、波長を選択するための波長編集信号及び波長の方路を切り替えるための方路切替信号を出力する制御手段と、
を有する光クロスコネクト装置において、
前記光サーキュレータは、
前記第１のポートから入力された波長多重信号光が入力されると、第２のポートより波長選択スイッチに出力し、
前記波長選択スイッチは、
前記光サーキュレータを介して波長多重信号光が入力されると、前記波長編集信号に基づいて波長光を選択して、前記方路切替信号に基づいて１つの方路に接続された前記全反射ミラーに選択された波長光を出力すると共に、残りの波長光を他の波長選択スイッチに出力し、
前記全反射ミラー及び前記他の波長選択スイッチから波長光が入力されると、前記波長編集信号及び前記方路切替信号に基づいて、波長光を選択して前記光サーキュレータに出力し、
前記光サーキュレータは、
前記波長選択スイッチから出力された前記波長光が前記第２のポートより入力されると、該波長光を前記第３のポートより出力する、
ことを特徴とする光クロスコネクト装置における信号制御方法。
【発明の詳細な説明】
【技術分野】
【０００１】
本発明は、波長多重伝送システムにおける光クロスコネクト装置及び光クロスコネクトシステム及び光クロスコネクト装置における信号制御方法に係り、特に、各波長をあるまとまりに編集し、生成した波長群毎に方路設定等の信号処理を行うための波長多重光から特定の信号を選択して取り出す波長選択スイッチを用いた光クロスコネクト装置及びユーザ端末等のユーザネットワークインタフェース（ＵＮＩ）を収容する光クロスコネクトシステム及び光クロスコネクト装置における信号制御方法に関する。
【背景技術】
【０００２】
光通信システムでは、１本の光ファイバに異なる波長光を複数伝搬させることができる波長多重通信技術（WDM：Wavelength Division Multiplexing）を用いることによって伝送容量を増大させている。このＷＤＭにおいて、波長多重信号光から特定の波長信号を取り出す波長選択スイッチを利用した光クロスコネクト装置が利用されている。
【０００３】
従来の光クロスコネクト装置について説明する。
【０００４】
図６は、従来の光クロスコネクト装置の構成を示す。
【０００５】
同図に示す光クロスコネクト装置は、波長を管理し、波長編集信号を出力する制御部２と、入力側、出力側とも４個ずつの波長選択スイッチ１を有する。入力側の波長選択スイッチ１に波長が入力されると、制御部２からの波長編集信号及び方路切替信号に基づいて選択された波長が出力側の波長選択スイッチ１に出力される（例えば、非特許文献１参照）。
【０００６】
図６の構成における波長選択スイッチ１の構成を図７に示す。
【０００７】
図７に示す波長選択スイッチ１は、１入力Ｎ出力（１×Ｎ）であり、１つの分波器１０、分波器１０に接続された複数の光スイッチ２０、光スイッチ２０に接続された複数の合波器３０から構成される。
【０００８】
同図に示す分波器１０は、１つの入力ポートから入力されたλ１，λ２，…，λｎのｎチャネルからなる波長多重信号光を波長編集信号に基づいてｎ個に分波し、ｎ個の光スイッチ２０に出力し、合波器３０において個々の光スイッチ２０から出力された波長光を合波して出力する。つまり、波長多重信号光のチャネル数と同数の光スイッチが必要となる。同図の例では、λ１，λ２，…，λ１１の波長多重信号光を１１に分波し、１１個の光スイッチ２０に出力している。
【０００９】
それぞれの光スイッチ２０は、１つの入力ポートとＭ（Ｍは合波器の数）個の出力ポートを持ち、入力された何れかのＷＤＭ入力光を方路切替信号に基づいて切り替えて何れかの合波器３０に出力する。
【００１０】
合波器３０は、光スイッチ２０から入力された波長を合波して出力する。図７の例では、４つの合波器が設けられており、合波された波長λ１〜λ３、波長λ４〜λ６、波長λ７〜λ８、波長λ９〜λ１１が各出力ポートから出力される。
【非特許文献１】Lei Zong, Philip Ji, Ting Wang, Osamu Matsuda, Milorad Cvijetic, "Study on Wave length Cross-Connect Realized with Wavelength Selective Switches", Optical Fiber Communications 2006.
【発明の開示】
【発明が解決しようとする課題】
【００１１】
しかしながら、従来の波長多重信号光のチャネル数と同数の光スイッチを内蔵する波長選択スイッチを用いた光クロスコネクト装置は、波長選択スイッチの数が増加するに伴い、光スイッチの数が増加するため、波長選択スイッチの挿入損失は非常に大きなものとなる。
【００１２】
本発明は、上記の点に鑑みなされたもので、光スイッチのみならず、波長選択スイッチの数をも削減し、低コスト化が可能な光クロスコネクト装置及び光クロスコネクトシステム及び光クロスコネクト装置における信号制御方法を提供することを目的とする。
【課題を解決するための手段】
【００１３】
図１は、本発明の原理構成図である。
【００１４】
本発明（請求項１）は、波長多重伝送に使用される波長多重信号光から特定の波長の信号を選択して取り出す波長選択スイッチを用いた光クロスコネクト装置であって、
それぞれに入力された波長多重信号光から特定の波長光を選択する、並列に配置された複数の波長選択スイッチ１２０と、
波長選択スイッチ１２０のそれぞれの前段に配置され、第１のポートから入力された光を非相反部を通過して第２のポートに出力し、該第２のポートから入力された光を該非相反部を通過して第３のポートに出力する複数の光サーキュレータ１１０と、
波長選択スイッチ１２０の１つの方路に接続され、入射された全光を反射させる全反射ミラー１３０と、
波長選択スイッチ１２０に対して、波長を選択するための波長編集信号及び波長の方路を切り替えるための方路切替信号を出力する制御手段１５０と、
を有し、
光サーキュレータ１１０は、
第１のポートから入力された波長多重信号光が入力されると、第２のポートより波長選択スイッチ１２０に出力し、
波長選択スイッチ１２０は、
光サーキュレータ１１０を介して波長多重信号光が入力されると、波長編集信号に基づいて波長光を選択し、方路切替信号に基づいて１つの方路に接続された全反射ミラー１３０に選択された波長光を出力すると共に、残りの波長光を他の波長選択スイッチ１２０に出力し、
全反射ミラー１３０及び他の波長選択スイッチ１２０から波長光が入力されると、波長編集信号及び方路切替信号に基づいて、波長光を選択して光サーキュレータ１１０に出力し、
光サーキュレータ１１０は、
波長選択スイッチ１２０から出力された波長光が第２のポートより入力されると、該波長光を第３のポートより出力する。
【００１５】
本発明（請求項２）は、波長多重伝送に使用される波長多重信号光から特定の波長の信号を選択して取り出す波長選択スイッチを用いた光クロスコネクト装置とユーザネットワークインタフェース（ＵＮＩ）から構成される光クロスコネクトシステムであって、
光クロスコネクト装置は、
請求項１記載の光クロスコネクト装置であり、
ＵＮＩは、
入力された波長多重信号光から特定の波長光を選択する波長選択スイッチと、
波長選択スイッチのそれぞれの前段に配置され、第１のポートから入力された光を非相反部を通過して第２のポートに出力し、該第２のポートから入力された光を該非相反部を通過して第３のポートに出力する光サーキュレータと、
を有し、
ＵＮＩの光サーキュレータは、
第１のポートから入力された波長多重信号光が入力されると、第２のポートより波長選択スイッチに出力し、
ＵＮＩの波長選択スイッチは、
光サーキュレータを介して波長多重信号光が入力されると、光クロスコネクト装置からの波長編集信号に基づいて波長光を選択し、波長光を光クロスコネクト装置の波長選択スイッチに出力し、
光クロスコネクト装置の波長選択スイッチから波長光が入力されると、波長編集信号及び方路切替信号に基づいて、波長光を選択して光サーキュレータに出力し、
ＵＮＩの光サーキュレータは、
ＵＮＩの波長選択スイッチから出力された波長光が第２のポートより入力されると、該波長光を第３のポートより出力する。
【００１６】
本発明（請求項３）は、波長多重伝送に使用される波長多重信号光から特定の波長の信号を選択して取り出す波長選択スイッチを用いた光クロスコネクト装置と、現用系及び該現用系において通信ができなくなった場合に予備系に切り替える冗長系のユーザネットワークインタフェース（ＵＮＩ）から構成される光クロスコネクトシステムであって、
光クロスコネクト装置は、請求項１記載の光クロスコネクト装置であり、
ＵＮＩは、
入力された波長多重信号光から特定の波長光を選択する波長選択スイッチと、
波長選択スイッチのそれぞれの前段に配置され、第１のポートから入力された光を非相反部を通過して第２のポートに出力し、該第２のポートから入力された光を該非相反部を通過して第３のポートに出力する光サーキュレータと、
を現用系及び予備系にそれぞれ有し、
ＵＮＩの現用系及び予備系の光サーキュレータは、
第１のポートから入力された波長多重信号光が入力されると、第２のポートより波長選択スイッチに出力し、
ＵＮＩの現用系及び予備系の波長選択スイッチは、
第１の光サーキュレータを介して波長多重信号光が入力されると、光クロスコネクト装置からの波長編集信号に基づいて波長光を選択し、波長光を光クロスコネクト装置の波長選択スイッチに出力し、
光クロスコネクト装置の波長選択スイッチから波長光が入力されると、波長編集信号及び方路切替信号に基づいて、波長光を選択して光サーキュレータに出力し、
ＵＮＩの現用系及び予備系の光サーキュレータは、
ＵＮＩの波長選択スイッチから出力された波長光が第２のポートより入力されると、該波長光を第３のポートより出力する。
【００１７】
本発明（請求項４）は、波長多重伝送に使用される波長多重信号光から特定の波長の信号を選択して取り出す波長選択スイッチを用いた光クロスコネクト装置における信号制御方法であって、
それぞれに入力された波長多重信号光から特定の波長光を選択する、並列に配置された複数の波長選択スイッチと、
波長選択スイッチのそれぞれの前段に配置され、第１のポートから入力された光を非相反部を通過して第２のポートに出力し、該第２のポートから入力された光を該非相反部を通過して第３のポートに出力する複数の光サーキュレータと、
波長選択スイッチの１つの方路に接続され、入射された全光を反射させる全反射ミラーと、
波長選択スイッチに対して、波長を選択するための波長編集信号及び波長の方路を切り替えるための方路切替信号を出力する制御手段と、
を有する光クロスコネクト装置において、
光サーキュレータは、
第１のポートから入力された波長多重信号光が入力されると、第２のポートより波長選択スイッチに出力し、
波長選択スイッチは、
光サーキュレータを介して波長多重信号光が入力されると、波長編集信号に基づいて波長光を選択して、方路切替信号に基づいて１つの方路に接続された全反射ミラーに選択された波長光を出力すると共に、残りの波長光を他の波長選択スイッチに出力し、
全反射ミラー及び他の波長選択スイッチから波長光が入力されると、波長編集信号及び方路切替信号に基づいて、波長光を選択して光サーキュレータに出力し、
光サーキュレータは、
波長選択スイッチから出力された波長光が第２のポートより入力されると、該波長光を第３のポートより出力する。
【発明の効果】
【００１８】
上記のように本発明によれば、光スイッチを含まない波長選択スイッチを用い、当該波長選択スイッチの前段に光サーキュレータを挿入し、波長選択スイッチの１つの方路に全反射ミラーを設けた折り返し構成とすることにより、波長選択スイッチ、及び、光スイッチの数を削減することができるため、低コスト化を図ることができる。
【００１９】
また、ＵＮＩ(User Network Interface)を収容するシステムにおいても、ＵＮＩ側に上記と同様に、波長選択スイッチの前段に光サーキュレータを用い、波長選択スイッチの１つの方路に全反射ミラーを設けることにより、ＵＮＩにおいても波長選択スイッチ及び光スイッチの数を削減することができる。
【発明を実施するための最良の形態】
【００２０】
以下、図面と共に本発明の実施の形態を説明する。
【００２１】
［第１の実施の形態］
図２は、本発明の第１の実施の形態における光クロスコネクト装置の構成を示す。
【００２２】
同図に示す光クロスコネクト装置は、入力された光を非相反部を通過させて出力する複数の光サーキュレータ１１０、波長多重信号光から特定の波長の信号を選択して取り出す複数の波長選択スイッチ１２０、入射された全ての光を反射する複数の全反射ミラー１３０、及び波長編集信号と方路切替信号を出力する制御部１５０から構成される。制御部１５０は、波長及び波長の方路を記憶手段（図示せず）にて管理し、波長選択スイッチ１２０に対して波長を選択するための波長編集信号と、波長の方路を切り替えるための方路切替信号を出力する。
【００２３】
光サーキュレータ１１０は、波長選択スイッチ１２０の前段に設けられる。
【００２４】
全反射ミラー１３０は、波長選択スイッチ１２０の１つの出力ポートに接続される。
【００２５】
当該光クロスコネクト装置の波長選択スイッチ１０２は、図３のような構成を有する。
【００２６】
図３に示す波長選択スイッチ１２０は、３つの帯域分割フィルタ１２１１〜１２１３から構成される。
【００２７】
各帯域分割フィルタ１２１１〜１２１３は、入力ポートより入力された波長多重信号光を波長編集信号及び方路切替信号に基づいて波長帯域毎に分割し、一方はそのまま出力ポートに出力し、もう一方の波長光は次段の帯域分割フィルタに出力する。また、最後段の帯域分割フィルタ１２１３は、分割した波長光を全て出力ポートに出力する。
【００２８】
図３の例において、帯域分割フィルタ１２１１は、入力ポートに波長多重信号光λ１〜λ１１が入力されると、２つの波長λ１〜λ４、波長λ５〜λ１１に帯域分割し、波長λ１〜λ４はそのまま出力側のポートに出力し、波長λ５〜λ１１は次段の帯域分割フィルタ１２１２に出力する。帯域分割フィルタ１２１２は、帯域分割フィルタ１２１１から入力された波長λ５〜λ１１を波長λ５〜λ７、波長λ８〜λ１１に帯域分割し、波長λ５〜λ７は出力側のポートに出力し、波長λ８〜λ１１は帯域分割フィルタ１２１３に出力する。帯域分割フィルタ１２１３は、帯域分割フィルタ１２１２から入力された波長光λ８〜λ１１を波長λ８，λ９、波長λ１０，λ１１に帯域分割し、出力側のポートに出力する。
【００２９】
なお、上記の図３の構成では、帯域分割フィルタ１２１を３個設けているが、この例に限定されることなく、必要に応じてｎ個設けることが可能である。また、図３では個々の帯域分割フィルタのポート数を２個としているが、この例に限定されることなく、適宜増設することも可能である。
【００３０】
図３に示す構成の波長選択スイッチ１２０１の場合、帯域分割フィルタ１２１１の出力ポートｂに全反射ミラー１３０が接続されているものとする。また、波長選択スイッチ１２０2〜１２０４については、帯域分割フィルタ１２１３の出力ポートｅに全反射ミラー１３０が接続されるものとする。なお、選択されたどの波長を全反射ミラーに出力するかは方路切替信号に依る。
【００３１】
図２に示す光サーキュレータ１１０は、入力ポートから入射された光を非相反部を通過させて波長選択スイッチ１２０の入力ポートに出力する。また、波長選択スイッチ１２０から出力された波長を出力ポートに出力する。
【００３２】
例えば、光サーキュレータ１１０１において、入力ポートｈから入射された波長多重光は、ポートｉから波長選択スイッチ１２０１に出力され、波長選択スイッチ１２０１からポートｉに入力された光はポートｊに出力される。
【００３３】
図２の構成において、入力ポートから光サーキュレータ１１０１に波長多重光が入力されると、波長選択スイッチ１２０１に出力される。このうち、波長選択スイッチ１２０１の帯域分割フィルタ１２１１のポートｂから選択された波長光が全反射ミラー１３０１に出力されると、当該波長光は全反射されて波長選択スイッチ１２０１に戻される。波長選択スイッチ１２０１は、この波長光を光サーキュレータ１１０１に出力する。光サーキュレータ１１０１は、当該波長光を出力ポートから出力する。また波長選択スイッチ１２０１の出力ポートｃ、ｄ、ｅからの波長光は他の波長選択スイッチ１２０２，１２０３，１２０４にそれぞれ出力される。
【００３４】
上記のように光クロスコネクト装置を、光スイッチを内蔵しない波長選択スイッチを用い、その波長選択スイッチの１つの方路に全反射ミラーを設け、光サーキュレータによる折り返し構成とすることにより、光スイッチを不要とし、波長選択スイッチの数も削減することができる。
【００３５】
［第２の実施の形態］
本実施の形態では、前述の第１の実施の形態における光クロスコネクト装置にユーザインタフェースを収容したシステムについて説明する。
【００３６】
図４は、本発明の第２の実施の形態におけるユーザインタフェースを収容したシステム構成を示す。
【００３７】
同図に示すシステムは、第１の実施の形態における光クロスコネクト装置１００と、ＵＮＩ（User Network Interface）インタフェース２００から構成される。
【００３８】
光クロスコネクト装置１００は、第１の実施の形態と同様の構成であるため、その説明を省略する。但し、制御部１５０からの波長編集信号及び方路切替信号は、光クロスコネクト装置１００内のみならず、ＵＮＩインタフェースの波長選択スイッチにも出力される。
【００３９】
ＵＮＩインタフェース２００は、光サーキュレータ２１０、波長選択スイッチ２２０、全反射ミラー２３０が各１つずつ設けられている。
【００４０】
光サーキュレータ２１０は、波長選択スイッチ２２０に接続され、全反射ミラーは、波長選択スイッチ２２０の１つの方路に接続されている。
【００４１】
ＵＮＩインタフェース２００の波長選択スイッチ２２０は、第１の実施の形態の図３に示す構成と同様である。図４の例では、入力ポートｆから光サーキュレータ２１０を介して波長多重光が入力されると、制御部１５０からの波長編集信号に基づいて波長が選択され、方路切替信号に基づいて４つの方路のうち、１つは全反射ミラー２３０に出力され、残りの方路の波長光は、光クロスコネクト装置１００の各波長選択スイッチ１２０に出力される。また、光クロスコネクト装置１００の各波長選択スイッチ１２０から出力された波長が入力される。
【００４２】
全反射ミラー２３０から反射された反射光、光クロスコネクト装置１００の波長選択スイッチ１２０から入力された波長光が波長選択スイッチ２２０に入力されると、制御部１５０からの波長編集信号により波長選択され、方路切替信号に基づいて光サーキュレータ２１０に入力され、出力ポートｇより出力される。
【００４３】
なお、上記の構成では、光クロスコネクト装置１００の制御部１５０において、ＵＮＩインタフェースの波長制御スイッチを制御する例を示しているが、この例に限定されることなく、ＵＮＩインタフェース２００側にも制御部を設け、２つの制御部において相互にデータを共有して連携することも可能である。
【００４４】
上記のように、光クロスコネクト装置に収容されるＵＮＩインタフェースの構成を、光クロスコネクト装置と同様に、光サーキュレータ、光スイッチを内蔵しない波長選択スイッチを用い、全反射ミラーにより折り返しの構成とすることにより、光スイッチ、波長選択スイッチの数を削減することができる。
【００４５】
なお、上記では、ＵＮＩインタフェースの構成に全反射ミラーを設ける例を示しているが、この例に限定されることなく、全反射ミラーを設けない構成としてもよい。
【００４６】
［第３の実施の形態］
本実施の形態では、第１の実施の形態における光クロスコネクト装置において、現用系及び予備系からなる冗長系のＵＮＩインタフェースを収容したシステムについて説明する。
【００４７】
図５は、本発明の第３の実施の形態における冗長系のユーザインタフェースを収容したシステム構成を示す。
【００４８】
同図に示すシステムは、第１の実施の形態における光クロスコネクト装置１００と、ＵＮＩインタフェース３００から構成される。
【００４９】
光クロスコネクト装置１００は、第１の実施の形態と同様であるので、その説明を省略する。但し、制御部１５０からの波長編集信号及び方路切替信号は、光クロスコネクト装置１００内のみならず、ＵＮＩインタフェースの波長選択スイッチにも出力される。
【００５０】
ＵＮＩインタフェース３００は、現用系と予備系からなる冗長系であり、現用系と予備系は、それぞれ、光サーキュレータ３１０、波長選択スイッチ３２０、全反射ミラー３３０を有し、波長選択スイッチ３２０１，３２０２は、光クロスコネクト装置１００の制御部１５０から出力される波長選択信号により波長を選択し、方路切替信号に基づいて何れかのポートから選択された波長を出力する。
【００５１】
ＵＮＩインタフェース３００の現用系及び予備系の個々の構成要素の動作は、第２の実施の形態と同様であるので省略するが、本例は、冗長系であるため、現用系において障害の発生等により通信が不可能となった場合には、予備系に切り替えられて通信を行う。例えば、現用系において障害が発生した場合は、予備系の光サーキュレータ３１０２、波長選択スイッチ３２０２、全反射ミラー３３０２を用いて通信を行う。
【００５２】
なお、上記の構成では、光クロスコネクト装置１００の制御部１５０において、ＵＮＩインタフェースの波長制御スイッチを制御する例を示しているが、この例に限定されることなく、ＵＮＩインタフェース２００側にも制御部を設け、２つの制御部において相互にデータを共有して連携することも可能である。
【００５３】
上記のように、冗長系の場合も、光クロスコネクト装置に収容される冗長系のＵＮＩインタフェースの構成を、光クロスコネクト装置と同様に、光サーキュレータ、光スイッチを内蔵しない波長選択スイッチ、全反射ミラーを用いることにより、光スイッチ、波長選択スイッチの数を削減することができる。
【００５４】
本実施の形態においても、ＵＮＩインタフェースの構成に全反射ミラーを設ける例を示しているが、第２の実施の形態と同様に、全反射ミラーを設けない構成としてもよい。
【００５５】
なお、本発明は、上記の実施の形態に限定されることなく、特許請求の範囲内において種々変更・応用が可能である。
【産業上の利用可能性】
【００５６】
本発明は、光波長多重システムにおけるクライアント収容及び現用系、予備系からなる冗長化システムに適用可能である。
【図面の簡単な説明】
【００５７】
【図１】本発明の原理構成図である。
【図２】本発明の第１の実施の形態における光クロスコネクト装置の構成図である。
【図３】本発明の第１の実施の形態における波長選択スイッチの構成図である。
【図４】本発明の第２の実施の形態におけるユーザインタフェースを収容したシステム構成図である。
【図５】本発明の第３の実施の形態におけるユーザインタフェースを収容したシステム構成図である。
【図６】従来の光クロスコネクト装置の構成図である。
【図７】従来の波長選択スイッチの構成図である。
【符号の説明】
【００５８】
１００  光クロスコネクト装置
１１０  光サーキュレータ
１２０  波長選択スイッチ
１２１  帯域分割フィルタ
１３０  全反射ミラー
１５０  制御手段、制御部
２００  ＵＮＩ（User Network Interface）
２１０  光サーキュレータ
２２０  波長選択スイッチ
２３０  全反射ミラー
３００  ＵＮＩ
３１０  光サーキュレータ
３２０  波長選択スイッチ
３３０  全反射ミラー
【図１】
2008259133.tif 000003
【図２】
2008259133.tif 000004
【図３】
2008259133.tif 000005
【図４】
2008259133.tif 000006
【図５】
2008259133.tif 000007
【図６】
2008259133.tif 000008
【図７】
2008259133.tif 000009